(57)【要約】【課題】不適切な簡易見積もり金額が提示されてしまうことを抑制することができる住宅リフォーム見積もりシステムを提供する。【解決手段】住宅リフォーム見積もりシステム１０は、顧客が住宅リフォームの見積もりに関する選択を行うための第一選択画面を表示する表示部３４と、第一選択画面の表示中に顧客の第一選択を受け付ける受付部３１とを備える。表示部３４は、第一選択が受け付けられた後に第二選択画面を表示する。第二選択画面には、複数の選択肢のうち、第一選択の結果に応じて定められる一部の選択肢のみが含まれる。【選択図】図２
2019016217.tif 000002
【特許請求の範囲】
【請求項１】
顧客が住宅リフォームの見積もりに関する選択を行うための第一選択画面を表示する表示部と、
前記第一選択画面の表示中に前記顧客の第一選択を受け付ける受付部とを備え、
前記表示部は、前記第一選択が受け付けられた後に第二選択画面を表示し、
前記第二選択画面には、複数の選択肢のうち、前記第一選択の結果に応じて定められる一部の選択肢のみが含まれる
住宅リフォーム見積もりシステム。
【請求項２】
前記第一選択画面は、前記顧客が、当該顧客の住宅内の設備の配置に関する選択を行うための選択画面であり、
前記第二選択画面は、前記顧客が、前記設備が配置される空間におけるリフォーム対象範囲の選択を行うための選択画面である
請求項１に記載の住宅リフォーム見積もりシステム。
【請求項３】
前記第一選択画面は、前記顧客が前記設備の配置を前記住宅リフォームによって変更するか否かの選択を行うための選択画面であり、
前記第一選択が、前記設備の配置を変更することを示す場合に、前記第二選択画面には、前記複数の選択肢のうち、前記一部の選択肢のみが含まれる
請求項２に記載の住宅リフォーム見積もりシステム。
【請求項４】
前記第一選択画面は、前記顧客が前記空間の間取りを前記住宅リフォームによって変更するか否かの選択を行うための選択画面でもあり、
前記第一選択が、前記設備の配置を変更しないことを示す場合であって、かつ、前記空間の間取りを変更しないことを示す場合、前記第二選択画面には、前記複数の選択肢の全てが含まれ、
前記第一選択が、前記設備の配置を変更しないことを示す場合であって、かつ、前記空間の間取りを変更することを示す場合、前記第二選択画面には、前記複数の選択肢のうち、一部の選択肢のみが含まれる
請求項３に記載の住宅リフォーム見積もりシステム。
【請求項５】
前記複数の選択肢には、前記空間の床、壁、及び、天井のいずれもリフォーム対象範囲としない第一選択肢、並びに、前記空間の床、壁、及び、天井のうち少なくとも１つをリフォーム対象範囲とする第二選択肢が含まれ、
前記一部の選択肢には、前記第一選択肢及び前記第二選択肢のうち前記第二選択肢のみが含まれる
請求項２〜４のいずれか１項に記載の住宅リフォーム見積もりシステム。
【請求項６】
前記第二選択肢には、前記空間の床、壁、及び、天井を全面的にリフォーム対象範囲とする選択肢、並びに、前記空間の床、壁、及び、天井のうち前記設備の周辺のみをリフォーム対象範囲とする選択肢が含まれる
請求項５に記載の住宅リフォーム見積もりシステム。
【請求項７】
前記空間は、少なくともダイニング及びキッチンを含む居住空間であり、
前記設備は、システムキッチンである
請求項２〜６のいずれか１項に記載の住宅リフォーム見積もりシステム。
【請求項８】
顧客が住宅リフォームの見積もりに関する選択を行うための第一選択画面を表示し、
前記第一選択画面の表示中に前記顧客の第一選択を受け付け、
前記第一選択が受け付けられた後に第二選択画面を表示し、
前記第二選択画面には、複数の選択肢のうち、前記第一選択の結果に応じて定められる一部の選択肢のみが含まれる
住宅リフォーム見積もり方法。
【発明の詳細な説明】
【技術分野】
【０００１】
本発明は、住宅リフォーム見積もりシステム、及び、住宅リフォーム見積もり方法に関する。
【背景技術】
【０００２】
従来、住宅リフォームに関する技術が提案されている。特許文献１には、既存住宅の間取りの間取りデータを簡単に得ることができるとともに、この間取りデータに基づいてリフォームプランを容易に作成できる住宅リフォーム支援装置が開示されている。
【先行技術文献】
【特許文献】
【０００３】
【特許文献１】特開２００４−１３４２３号公報
【発明の概要】
【発明が解決しようとする課題】
【０００４】
住宅リフォーム会社は、顧客と住宅リフォームの正式契約を結ぶ前には、当該顧客からの住宅リフォームの要望に応じて簡易見積もり（簡易見積書）を提示する。顧客は簡易見積もりに基づいて正式契約を結ぶ住宅リフォーム会社を選択し、選択された住宅リフォーム会社は、顧客の住宅の調査等を行って正式な見積もりを作成する。簡易見積もり金額と正式な見積もり金額との差が大きいと、顧客が住宅リフォーム会社に不信感を抱いてしまう。このため、適切な簡易見積もり金額が提示されることが望まれている。
【０００５】
本発明は、不適切な簡易見積もり金額が提示されてしまうことを抑制することができる住宅リフォーム見積もりシステム、及び、住宅リフォーム見積もり方法を提供する。
【課題を解決するための手段】
【０００６】
本発明の一態様に係る住宅リフォーム見積もりシステムは、顧客が住宅リフォームの見積もりに関する選択を行うための第一選択画面を表示する表示部と、前記第一選択画面の表示中に前記顧客の第一選択を受け付ける受付部とを備え、前記表示部は、前記第一選択が受け付けられた後に第二選択画面を表示し、前記第二選択画面には、複数の選択肢のうち、前記第一選択の結果に応じて定められる一部の選択肢のみが含まれる。
【０００７】
本発明の一態様に係る住宅リフォーム見積もり方法は、顧客が住宅リフォームの見積もりに関する選択を行うための第一選択画面を表示し、前記第一選択画面の表示中に前記顧客の第一選択を受け付け、前記第一選択が受け付けられた後に第二選択画面を表示し、前記第二選択画面には、複数の選択肢のうち、前記第一選択の結果に応じて定められる一部の選択肢のみが含まれる。
【発明の効果】
【０００８】
本発明の一態様に係る住宅リフォーム見積もりシステム、及び、住宅リフォーム見積もり方法は、不適切な簡易見積もり金額が提示されてしまうことを抑制することができる。
【図面の簡単な説明】
【０００９】
【図１】図１は、実施の形態に係る住宅リフォーム見積もりシステムの概要を示す図である。
【図２】図２は、実施の形態に係る住宅リフォーム見積もりシステムの機能構成を示すブロック図である。
【図３】図３は、表示部の画面遷移を示す図である。
【図４】図４は、建物基本情報指定画面の一例を示す図である。
【図５】図５は、リフォーム部位指定画面の一例を示す図である。
【図６】図６は、キッチンタイプ選択画面の一例を示す図である。
【図７】図７は、キッチンタイプの詳細画面の一例を示す図である。
【図８】図８は、配置選択画面の一例を示す図である。
【図９Ａ】図９Ａは、リフォーム対象範囲選択画面の第一例を示す図である。
【図９Ｂ】図９Ｂは、リフォーム対象範囲選択画面の第二例を示す図である。
【図９Ｃ】図９Ｃは、リフォーム対象範囲選択画面の第三例を示す図である。
【図１０】図１０は、プラン選択画面の一例を示す図である。
【図１１】図１１は、グレード選択画面の一例を示す図である。
【図１２】図１２は、オプション選択画面の一例を示す図である。
【図１３】図１３は、加熱機器の一覧画像がポップアップ表示されたオプション選択画面の一例を示す図である。
【図１４】図１４は、見積もり結果が反映されたリフォーム部位指定画面の一例を示す図である。
【図１５Ａ】図１５Ａは、提案シートの一例（１ページ目）を示す図である。
【図１５Ｂ】図１５Ｂは、提案シートの一例（２ページ目）を示す図である。
【図１６】図１６は、電子メールアドレスの入力画像の一例を示す図である。
【図１７】図１７は、実施の形態に係る住宅フォーム見積もりシステムの選択肢の絞り込み動作のフローチャートである。
【発明を実施するための形態】
【００１０】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１１】
なお、各図は模式図であり、必ずしも厳密に図示されたものではない。また、各図において、実質的に同一の構成に対しては同一の符号を付し、重複する説明は省略または簡略化される場合がある。また、以下の実施の形態においては、便宜上、画面は、表示部の表示領域の全体に表示されるものとして説明され、画像は、表示部の表示領域の一部に表示されるものとして説明される。
【００１２】
（実施の形態）
［住宅リフォーム見積もりシステムの概要］
まず、実施の形態に係る住宅リフォーム見積もりシステムの全体構成について説明する。図１は、実施の形態に係る住宅リフォーム見積もりシステムの概要を示す図である。図２は、実施の形態に係る住宅リフォーム見積もりシステムの機能構成を示すブロック図である。なお、図２では、情報端末３０は、１つだけ図示されている。
【００１３】
実施の形態に係る住宅リフォーム見積もりシステム１０は、住宅リフォーム会社の営業マン等が情報端末３０を用いて、住宅リフォームの簡易見積もりを顧客に提案できるシステムである。住宅リフォーム見積もりシステム１０は、サーバ装置２０と、複数の情報端末３０とを備える。住宅リフォーム見積もりシステム１０が備える複数の情報端末３０の数は、特に限定されない。
【００１４】
従来、住宅リフォーム会社の営業マンは、顧客から住宅リフォームの要望をヒアリングした後、住宅リフォームに使用する商品の価格等を商品メーカに問い合わせ、かつ、工事費用を施工業者に問い合わせて簡易見積もりを作成していた。しかしながら、このような手法では、簡易見積もりの作成に１週間以上の時間がかかるなど、スピーディーな簡易見積もりができないという課題があった。また、経験の浅い営業マンは、必要な工事費が抜けているなどの不備がある不適切な簡易見積もりを提案してしまう場合があった。
【００１５】
これに対し、住宅リフォーム見積もりシステム１０においては、営業マンは、顧客の住宅リフォームに対する要望をヒアリングし、情報端末３０に順次表示される選択画面を通じた選択を行う。そうすると、選択に応じた簡易見積もり金額がその場で表示される。つまり、スピーディーな簡易見積もりが実現される。
【００１６】
また、住宅リフォーム見積もりシステム１０において、簡易見積もりの詳細は、電子データとして記憶される。このような電子データが正式見積もりの作成の際に流用されれば、正式見積もりの作成にかかる労力を短縮できる。つまり、業務の効率化を図ることができる。
【００１７】
また、住宅リフォーム見積もりシステム１０において、情報端末３０の表示部３４に表示される複数の選択画面は、不適切な簡易見積もり金額が算出されないように、一の選択画面に含まれる選択肢が他の選択画面の選択結果に依存して変更される。例えば、第一選択画面を通じた選択が行われた後に表示される第二選択画面においては、第一選択画面を通じた選択に応じて選択肢が絞り込まれる。これにより、不適切な簡易見積もり金額が提示されてしまうことが抑制される。
【００１８】
さらに、住宅リフォーム見積もりシステム１０によれば、経験の浅い営業マンは、情報端末３０の操作により、顧客からのヒアリングで確認すべき点、及び、注意点をチェックすることができる。経験の浅い営業マンは、情報端末３０を用いた簡易見積もりの作成を繰り返すことで、業務の習熟度を高めることができる。
【００１９】
以下、住宅リフォーム見積もりシステム１０が備える各装置の詳細な構成について、引き続き図１及び図２を参照しながら説明する。
【００２０】
［サーバ装置］
まず、サーバ装置２０について説明する。サーバ装置２０は、住宅リフォーム見積もりシステム１０において用いられる情報を管理する装置である。サーバ装置２０は、具体的には、通信部２１と、制御部２２と、記憶部２３とを備える。
【００２１】
通信部２１は、情報端末３０によって送信された表示画面情報の要求を受信し、かつ、要求に応じた表示画面情報を送信する。表示画面情報は、情報端末３０の表示部３４に表示画面を表示するための情報である。表示画面には、選択画面などが含まれる。通信部２１は、具体的には、通信回路（通信モジュール）である。
【００２２】
制御部２２は、通信部２１によって送信された要求に応じた表示画面情報を記憶部２３から読み出し、読み出した表示画面情報を通信部２１に送信させる。また、制御部２２は、記憶部２３に記憶された価格情報に基づいて、住宅リフォームの簡易見積もり金額を算出する。算出された簡易見積もり金額は、後述のオプション選択画面等に表示される。制御部２２は、具体的には、プロセッサ、マイクロコンピュータ、または専用回路などによって実現される。制御部２２は、プロセッサ、マイクロコンピュータ、および専用回路のうち２つ以上の組み合わせによって実現されてもよい。
【００２３】
記憶部２３は、住宅リフォーム見積もりシステム１０において用いられる情報が記憶される記憶装置である。記憶部２３には、例えば、表示画面情報が記憶される。また、記憶部には、住宅リフォームプランが記憶される。住宅リフォームプランは、リフォーム部位、工事内容、設備などがパッケージ化された住宅リフォームの詳細情報である。住宅リフォームプランは、住宅リフォーム見積もりシステム１０から顧客に提案され、顧客によって選択される。
【００２４】
また、記憶部２３には、選択画面を通じた選択結果に応じて簡易見積もり金額を算出するための価格情報が記憶される。制御部２２は、価格情報を用いて、情報端末３０を通じて選択された住宅リフォームプラン等に対応する価格を特定することにより、簡易見積もり金額を算出することができる。記憶部２３は、ＨＤＤ（Ｈａｒｄ  Ｄｉｓｋ  Ｄｒｉｖｅ）、または、半導体メモリなどによって実現される。
【００２５】
［情報端末］
次に、情報端末３０について説明する。情報端末３０は、選択画面等の表示画面が表示される端末である。情報端末３０は、例えば、タブレット端末またはスマートフォンなどの携帯型の情報端末であるが、パーソナルコンピュータなどの据え置き型の情報端末であってもよい。また、情報端末３０は、住宅リフォーム見積もりシステム１０の専用端末であってもよい。情報端末３０は、具体的には、受付部３１と、制御部３２と、通信部３３と、表示部３４と、記憶部３５とを備える。
【００２６】
受付部３１は、顧客または営業マンなどの操作を受け付ける。受付部３１は、例えば、タッチパネル、及び、ハードウェアボタンなどによって実現される。なお、以下の明細書中では、顧客または営業マンなど情報端末３０を操作する人を単にユーザと記載する。
【００２７】
制御部３２は、受付部３１によって受け付けられた操作に基づいて、当該操作に応じた表示画面情報の要求を通信部３３に送信させる。また、通信部３３によって表示画面情報が受信されると、受信された表示画面情報に基づく画面を表示部３４に表示させる。制御部３２は、例えば、ウェブブラウザを実行することによってこのような動作を行うが、専用のアプリケーションプログラムを実行することによってこのような動作を行ってもよい。制御部３２は、プロセッサまたはマイクロコンピュータなどによって実現される。
【００２８】
通信部３３は、制御部３２の制御に基づいて、表示画面情報の要求をサーバ装置２０に送信する。また、通信部３３は、表示画面情報をサーバ装置２０から受信する。通信部３３は、具体的には、情報端末３０がサーバ装置２０と通信を行うための通信モジュール（通信回路）である。
【００２９】
なお、情報端末３０及びサーバ装置２０の間で行われる通信は、有線通信であってもよいし、無線通信であってもよい。通信に用いられる通信規格についても特に限定されない。
【００３０】
表示部３４は、制御部３２の制御に基づいて表示画面を表示する。表示部３４は、具体的には、例えば、液晶パネルまたは有機ＥＬパネルなどを表示デバイスとして含むディスプレイである。なお、以下の実施の形態では、表示部３４が表示する表示画面及び画像は、サーバ装置２０から提供される表示画面情報に基づくものである。
【００３１】
記憶部３５は、制御部３２によって実行されるウェブブラウザの実行プログラム等が記憶される記憶装置である。記憶部３５は、具体的には、半導体メモリなどにより実現される。記憶部３５には、通信部３３によって受信された表示画面情報が記憶されてもよい。
【００３２】
［画面遷移］
次に、表示部３４の画面遷移について説明する。図３は、表示部３４の画面遷移を示す図である。
【００３３】
図３に示されるように、表示部３４は、まず、建物基本情報指定画面を表示する（図３のＳ１１）。図４は、建物基本情報指定画面の一例を示す図である。
【００３４】
図４に示される建物基本情報指定画面では、ユーザは、アイコンへのタップ操作により、対象物件、住宅形式、階数、及び、地域などを指定する。
【００３５】
まず、対象物件について説明する。住宅リフォームの対象が、特定のハウスメーカで建築された住宅である場合、対象物件において「ＯＢ」が指定される。住宅リフォームの対象がその他のハウスメーカまたは工務店で建築された住宅である場合、対象物件において「一般」が指定される。このような対象物件の指定に応じて、後述のプラン選択画面において選択可能な住宅リフォームプラン及びオプション選択画面において選択可能なオプションのラインナップが変動する。
【００３６】
住宅形式には、「Ｆ」、「Ｒ」、「都市建築」、「集合住宅」、「木造」、及び、「マンション」などの選択肢が含まれる。なお、住宅形式は、対象物件において「ＯＢ」が指定された場合、選択肢が絞り込まれる。
【００３７】
回数には、「平屋」、「２階」、及び、「３階」の選択肢が含まれる。地域には、「一般地」及び「寒冷地」の選択肢が含まれる。「寒冷地」が選択された場合には、寒冷地仕様の設備及び施工に対応した価格情報が使用される。つまり、「寒冷地」が選択された場合、「一般地」が選択された場合と同様の住宅リフォームプランであったとしても設備及び施工が寒冷地仕様となるため簡易見積もり金額が異なる。
【００３８】
建物基本情報画面における指定が終わり、当該画面右下の「進む」のアイコンがタップ操作されると、表示部３４は、リフォーム部位指定画面を表示する（図３のＳ１２）。図５は、リフォーム部位指定画面の一例を示す図である。
【００３９】
図５に示されるリフォーム部位指定画面では、ユーザは、アイコンへのタップ操作により、「キッチン」、「浴室」、及び、「トイレ」のいずれかを指定する。以下の実施の形態では、「キッチン」が指定される例について説明する。
【００４０】
リフォーム部位指定画面において「キッチン」が指定され、当該画面右下の「進む」のアイコンがタップ操作されると、表示部３４は、キッチンタイプ選択画面を表示する（図３のＳ１３）。図６は、キッチンタイプ選択画面の一例を示す図である。キッチンタイプとは、システムキッチンの形状及び構造等のタイプを意味する。
【００４１】
図６に示されるキッチンタイプ選択画面では、ユーザは、アイコンへのタップ操作により、「Ｉ型」、「Ｌ型」、「壁付対面・ペニンシュラ」、「ＩＩ型」、及び、「アイランド」のいずれかを選択する。また、ユーザは、「キッチンサイズ」の選択も行う。
【００４２】
なお、キッチンタイプ選択画面において、ユーザが各キッチンタイプのアイコンに含まれる「タイプの特徴」と記載された領域をタップ操作すると、当該キッチンタイプの詳細画面が別ウィンドウ（または別のタブ）で表示される。図７は、キッチンタイプの詳細画面の一例を示す図である。図７に示されるように、キッチンタイプの詳細画面には、選択されたキッチンタイプの説明文、及び、選択されたキッチンタイプに関連する画像などが含まれる。
【００４３】
キッチンタイプ選択画面においてキッチンタイプが選択され、当該画面右下の「進む」のアイコンがタップ操作されると、表示部３４は、配置選択画面を表示する（図３のＳ１４）。図８は、配置選択画面の一例を示す図である。
【００４４】
図８に示される配置選択画面では、ユーザは、アイコンへのタップ操作により、パターンＩ、パターンＩＩ、パターンＩＩＩ、及び、パターンＩＶの配置のいずれかを選択する。
【００４５】
パターンＩは、システムキッチンの移動なしでシステムキッチンの入れ替えのみを行うパターンである。パターンＩＩは、システムキッチンの移動なしでシステムキッチンの入れ替えを行い、かつ、間仕切り部分の変更を含むパターンである。パターンＩ及びパターンＩＩは、いずれも住宅リフォームの規模が小さいパターンである。
【００４６】
一方、パターンＩＩＩは、システムキッチンのキッチン内での移動がある、または、キッチンタイプの変更が行われるパターンである。パターンＩＶは、キッチンのエリア拡張、または、ＬＤＫのオープン化が行われるパターンである。パターンＩＩＩ及びパターンＩＶは、いずれも住宅リフォームの規模が大きいパターンである。
【００４７】
なお、パターンＩＩＩまたはパターンＩＶが選択された場合、配置選択画面を通じてリフォームする空間（部屋）の大きさの入力も行われ、入力結果に応じて簡易見積もり金額が変更される。
【００４８】
配置選択画面においてキッチンタイプが選択され、当該画面右下の「進む」のアイコンがタップ操作されると、表示部３４は、リフォーム対象範囲選択画面を表示する（図３のＳ１５）。リフォーム対象範囲選択画面は、キッチンを含むＬＤＫの床、壁、及び、天井のリフォーム対象範囲を選択するための画面である。
【００４９】
リフォーム対象範囲選択画面は、当該リフォーム対象範囲選択画面に含まれる選択肢（選択肢の数）が配置選択画面における選択結果に応じて異なる。図９Ａ〜図９Ｃは、リフォーム対象範囲選択画面の一例を示す図である。
【００５０】
上述のように、パターンＩは、システムキッチンの移動なしでシステムキッチンの入れ替えのみを行うパターンである。このため、顧客は、ＬＤＫのリフォームをおこなうか否かを任意に選択できる。したがって、パターンＩが選択された場合、表示部３４は、図９Ａに示されるように、３つの選択肢を含むリフォーム対象範囲選択画面を表示する。
【００５１】
３つの選択肢には、ＬＤＫの床、壁、及び、天井のいずれもリフォーム対象範囲としない第一選択肢３４ａ、ＬＤＫの床、壁、及び、天井のうち少なくとも１つをリフォーム対象範囲とする２つの第二選択肢３４ｂ及び３４ｃが含まれる。第二選択肢３４ｂは、空間の床、壁、及び、天井のうちシステムキッチンの周辺のみをリフォーム対象範囲とする選択肢であり、第二選択肢３４ｃは、ＬＤＫの床、壁、及び、天井を全面的にリフォーム対象範囲とする選択肢である。
【００５２】
一方で、配置選択画面においてパターンＩＩが選択された場合、パターンＩＩは間仕切り部分の変更を含むパターンであるため、少なくともシステムキッチンの周辺はリフォーム対象範囲とされる必要がある。にもかかわらず、リフォーム対象範囲選択画面において第一選択肢３４ａが選択されてしまうと、実際に必要な金額よりも低い、不適切な簡易見積もり金額が提示されてしまう可能性がある。
【００５３】
そこで、表示部３４は、図９Ｂに示されるように、３つの選択肢のうち第二選択肢３４ｂ及び３４ｃのみを含む（第一選択肢３４ａを含まない）リフォーム対象範囲選択画面を表示する。つまり、選択肢が絞り込まれたリフォーム対象範囲選択画面を表示する。これにより、不適切な簡易見積もり金額が提示されてしまうことが抑制される。
【００５４】
さらに、配置選択画面においてパターンＩＩＩまたはパターンＩＶが選択された場合、ＬＤＫの床、壁、及び、天井を全面的にリフォーム対象範囲とすることが必須となる。にもかかわらず、リフォーム対象範囲選択画面において第一選択肢３４ａまたは第二選択肢３４ｂが選択されてしまうと、実際に必要な金額よりも大幅に低い、不適切な簡易見積もり金額が提示されてしまう可能性がある。
【００５５】
そこで、表示部３４は、図９Ｃに示されるように、３つの選択肢のうち第二選択肢３４ｃのみを含む（第一選択肢３４ａ及び第二選択肢３４ｂを含まない）リフォーム対象範囲選択画面を表示する。つまり、選択肢が絞り込まれたリフォーム対象範囲選択画面を表示する。これにより、不適切な簡易見積もり金額が提示されてしまうことが抑制される。
【００５６】
リフォーム対象範囲選択画面においてリフォーム対象範囲が選択され、当該画面右下の「進む」のアイコンがタップ操作されると、表示部３４は、プラン選択画面を表示する（図３のＳ１６）。図１０は、プラン選択画面の一例を示す図である。
【００５７】
プラン選択画面には、あらかじめ準備された複数の住宅リフォームプランのうち、配置選択画面における選択結果、及び、リフォーム対象範囲選択画面の選択結果に応じて絞り込まれた１以上の住宅リフォームプランが含まれる。図１０に示されるプラン選択画面では、ユーザは、アイコンへのタップ操作により、１つの住宅リフォームプランを選択する。なお、配置選択画面において、システムキッチンの入れ替えのみを行うパターンＩが選択されている場合、プラン選択画面はスキップされる。
【００５８】
プラン選択画面において住宅リフォームプランが選択され、当該画面右下の「進む」のアイコンがタップ操作されると、表示部３４は、グレード選択画面を表示する（図３のＳ１７）。図１１は、グレード選択画面の一例を示す図である。
【００５９】
グレード選択画面は、プラン選択画面において選択された住宅リフォームプランに使用される設備（システムキッチン）のグレードを選択するための画面である。図１１に示されるグレード選択画面では、ユーザは、アイコンへのタップ操作により、ハイグレード、ミドルグレード、及び、ローグレードのいずれかを選択する。
【００６０】
グレード選択画面において設備のグレードが選択され、当該画面右下の「進む」のアイコンがタップ操作されると、表示部３４は、オプション選択画面を表示する（図３のＳ１８）。図１２は、オプション選択画面の一例を示す図である。
【００６１】
オプション選択画面は、住宅リフォームプランの選択結果及びグレードの選択結果に基づいて定められたシステムキッチンの詳細情報を含む。オプション選択画面は、具体的には、システムキッチンのシリーズ、スタイル、間口サイズ、奥行サイズ、扉材、カウンター、及び、シンクの詳細情報を含む。
【００６２】
また、オプション選択画面では、ユーザは、標準設定されている、加熱機器、レンジフード、食器洗い乾燥機、及び、水栓金具をオプション設定に変更することができる。つまり、ユーザは、オプションを選択できる。例えば、ユーザが加熱機器のアイコンをタップ操作すると、標準設定の加熱機器及びオプション設定の加熱機器の一覧画像がポップアップ表示される。図１３は、加熱機器の一覧画像がポップアップ表示されたオプション選択画面の一例を示す図である。ユーザは、ポップアップ表示された加熱機器の一覧画像のうち一つの加熱機器の画像をタップ操作することにより、加熱機器をオプション設定に変更することができる。オプション選択画面では、その他に、カップボードの追加、窓の交換、及び、給湯設備の交換なども可能である。
【００６３】
また、住宅リフォーム見積もりシステム１０では、オプション選択画面で初めて簡易見積もり金額が表示される。簡易見積もり金額は、オプション選択画面の右上に表示されている。
【００６４】
上述のように、簡易見積もり金額は、サーバ装置２０の制御部２２によって算出される。制御部２２は、主として、リフォーム対象範囲の選択結果（リフォームする空間の大きさの入力結果を含む）、住宅リフォームプランの選択結果、グレードの選択結果、及び、オプションの選択結果に基づいて、記憶部２３に記憶された価格情報を参照することにより簡易見積もり金額を算出する。制御部２２は、オプション設定が変更されるごとに簡易見積もり金額を算出しなおし、簡易見積もり金額が更新されたオプション選択画面を表示するための表示画面情報を通信部２１に送信させ、表示部３４は、通信部３３によって受信された表示画面情報に基づいてオプション選択画面を表示する。このように、オプション選択画面に表示される簡易見積もり金額は、逐次更新される。
【００６５】
オプション選択画面においてオプションが選択され、当該画面右下の「進む」のアイコンがタップ操作されると、表示部３４は、見積もり結果が反映されたリフォーム部位指定画面を表示する（図３のＳ１２）。図１４は、見積もり結果が反映されたリフォーム部位指定画面の一例を示す図である。
【００６６】
図１４に示されるリフォーム部位指定画面は、図５に示されるリフォーム部位指定画面に見積もり結果が追加されている。見積もり結果には、見積もりの対象となるリフォーム部位と、工事内容を示すアイコンと、簡易見積もり金額と、選択内容を変更するための変更アイコン３４ｄと、見積もり結果を削除するための削除アイコン３４ｅが含まれる。
【００６７】
工事内容を示すアイコンは、左から順に、既存システムキッチンの撤去工事、新規システムキッチンの組立及び取付工事、キッチンパネルの取付工事、及び、既存システムキッチンの廃棄処理を意味する。
【００６８】
変更アイコン３４ｄがタップ操作されると、表示部３４は、再度オプション選択画面を表示する。これにより、ユーザは、選択内容を変更することができる。
【００６９】
削除アイコン３４ｅがタップ操作されると、見積もり結果が削除される。一方で、図１４に示されるリフォーム部位指定画面が表示されているときに、「浴室」のアイコンが指定され、当該画面右下の「進む」のアイコンがタップ操作されると、表示部３４は、浴室のリフォームに関連する選択画面を順次表示し、最終的には、キッチンの見積もり結果の下に、浴室の見積もり結果（浴室も見積もり結果に対応する行）が追加される。図１４に示されるリフォーム部位指定画面が表示されているときに、「トイレ」のアイコンが指定された場合も同様である。
【００７０】
このように、住宅リフォーム見積もりシステム１０においては、営業マンは、顧客の住宅リフォームに対する要望をヒアリングし、営業マンまたは顧客は、情報端末３０に順次表示される選択画面を通じた選択を行う。そうすると、選択に応じた簡易見積もり金額がその場で表示される。つまり、スピーディーな見積もりが実現される。
【００７１】
［提案シートのダウンロード等］
見積もり結果の詳細は、サーバ装置２０の記憶部２３に保存される。また、顧客は、見積もり結果の詳細を電子データで受け取ることができる。例えば、図１４に示されるリフォーム部位指定画面が表示されているときに、ダウンロードアイコン３４ｆがタップ操作されると、サーバ装置２０の記憶部２３に保存された見積もり結果の詳細が情報端末３０の記憶部３５にダウンロードされる。ダウンロードされた見積もり結果の詳細は、提案シートとして顧客に提供される。図１５Ａ及び図１５Ｂは、提案シートの一例を示す図である。提案シートは、所定のファイル形式（例えば、ＰＤＦ）の電子データである。
【００７２】
なお、顧客は、提案シートを電子メールで受け取ることもできる。図１４に示されるリフォーム部位指定画面が表示されているときに、電子メールアイコン３４ｇがタップ操作されると、表示部３４は、電子メールアドレスの入力画像を表示する。図１６は、電子メールアドレスの入力画像の一例を示す図である。
【００７３】
図１６に示されるように、電子メールアドレスの入力画像は、例えば、ポップアップ形式で表示される。電子メールアドレスの入力画像においては、定型文等があらかじめ入力されている。ユーザは、顧客の電子メールアドレスを入力し、「送信」の文字が表示された領域をタップ操作すれば、提案シートが添付された電子メールを直ちに送信できる。
【００７４】
［選択肢の絞り込み動作］
住宅リフォーム見積もりシステム１０において、配置選択画面を通じた選択が行われた後に表示されるリフォーム対象範囲選択画面においては、配置選択画面を通じた選択に応じて選択肢が絞り込まれている。以下、このような選択肢の絞り込み動作について説明する。図１７は、住宅リフォーム見積もりシステム１０の選択肢の絞り込み動作のフローチャートである。
【００７５】
まず、情報端末３０の表示部３４は、配置選択画面を表示する（Ｓ２１）。配置選択画面は、顧客が住宅リフォームの見積もりに関する選択を行うための第一選択画面の一例である。また、配置選択画面は、顧客が、当該顧客の住宅内のシステムキッチンの配置に関する選択を行うための選択画面である。配置選択画面は、顧客がＬＤＫの間取りを住宅リフォームによって変更するか否かの選択を行うための選択画面でもある。間取りの変更には、例えば、間仕切りの変更等が含まれる。
【００７６】
次に、受付部３１は、配置選択画面の表示中に顧客の第一選択を受け付ける（Ｓ２２）。顧客の第一選択は、例えば、顧客自身の受付部３１（表示部３４）へのタップ操作であるが、営業マンの受付部３１（表示部３４）へのタップ操作であってもよい。第一選択は、具体的には、上述のパターンＩ〜ＩＶのいずれかの選択である。
【００７７】
次に、表示部３４は、リフォーム対象範囲選択画面を表示する。リフォーム対象範囲選択画面は、顧客が住宅リフォームの見積もりに関する選択を行うための第二選択画面であって、第一選択が受け付けられた後に表示される第二選択画面の一例である。リフォーム対象範囲選択画面は、顧客が、システムキッチンが配置されるＬＤＫにおけるリフォーム対象範囲を選択するための選択画面である。
【００７８】
パターンＩは、システムキッチンの移動なしでシステムキッチンの入れ替えのみを行うパターンである。このため、顧客は、ＬＤＫのリフォームをおこなうか否かを任意に選択できる。したがって、第一選択がパターンＩの選択である場合（Ｓ２２でパターンＩ）、表示部３４は、ＬＤＫの床、壁、及び、天井のいずれもリフォーム対象範囲としない第一選択肢３４ａを加えた３つの選択肢を全て含むリフォーム対象範囲選択画面（図９Ａ）を表示する（Ｓ２３）。
【００７９】
このように、第一選択が、システムキッチンの配置を変更しないことを示す場合であって、かつ、ＬＤＫの間取りを変更しないことを示す場合、リフォーム対象範囲選択画面には、３つの選択肢の全てが含まれる。
【００８０】
一方、パターンＩＩは、システムキッチンの移動なしでシステムキッチンの入れ替えを行い、かつ、間仕切り部分の変更を含むパターンであるため、少なくともシステムキッチンの周辺はリフォーム対象範囲とされる必要がある。第一選択がパターンＩＩの選択である場合（Ｓ２２でパターンＩＩ）、表示部３４は、３つの選択肢のうち、ＬＤＫの床、壁、及び、天井のうち少なくとも１つをリフォーム対象範囲とする、第二選択肢３４ｂ及び第二選択肢３４ｃのみを含むリフォーム対象範囲選択画面（図９Ｂ）を表示する（Ｓ２４）。
【００８１】
このように、第一選択が、システムキッチンの配置を変更しないことを示す場合であって、かつ、ＬＤＫの間取りを変更することを示す場合、リフォーム対象範囲選択画面には、３つの選択肢のうち、２つ選択肢のみが含まれる。第一選択肢３４ａは含まれない。
【００８２】
さらに、パターンＩＩＩは、システムキッチンのキッチン内での移動がある、または、キッチンタイプの変更が行われるパターンである。パターンＩＶは、キッチンのエリア拡張、または、ＬＤＫのオープン化が行われるパターンである。このため、パターンＩＩＩまたはパターンＩＶが選択された場合、ＬＤＫの床、壁、及び、天井を全面的にリフォーム対象範囲とすることが必須となる。
【００８３】
そこで、第一選択がパターンＩＩＩまたはＩＶの選択である場合（Ｓ２２でパターンＩＩＩまたはＩＶ）、表示部３４は、３つの選択肢のうち、ＬＤＫの床、壁、及び、天井を全面的にリフォーム対象範囲とする第二選択肢３４ｃのみを含むリフォーム対象範囲選択画面（図９Ｃ）を表示する（Ｓ２５）。
【００８４】
このように、第一選択がシステムキッチンの配置を変更することを示す場合に、リフォーム対象範囲選択画面には、３つの選択肢のうち、第一選択の結果に応じて定められる一部の選択肢である第二選択肢３４ｃのみが含まれる。第一選択肢３４ａ、並びに、ＬＤＫの床、壁、及び、天井のうちシステムキッチンの周辺のみをリフォーム対象範囲とする第二選択肢３４ｂは含まれない。
【００８５】
以上のように、住宅リフォーム見積もりシステム１０においては、不適切な簡易見積もり金額の原因となる選択肢が選択画面に含まれない。これにより、不適切な簡易見積もり金額が提示されてしまうことが抑制される。
【００８６】
［変形例］
上記実施の形態では、配置選択画面及びリフォーム対象範囲選択画面は、キッチンのリフォームの見積もりに関連して表示される選択画面であり、上記設備は、例えば、システムキッチンであり、上記空間は、ＬＤＫ（少なくともダイニング及びキッチンを含む居住空間）である。
【００８７】
しかしながら、配置選択画面及びリフォーム対象範囲選択画面は、浴室のリフォームの見積もりに関連して表示される選択画面であってもよい。この場合、上記設備は、例えば、バスタブであり、上記空間は、例えば、浴室内の空間である。また、配置選択画面及びリフォーム対象範囲選択画面は、トイレのリフォームの見積もりに関連して表示される選択画面であってもよい。この場合、上記設備は、例えば、便器であり、上記空間は、例えば、トイレ内の空間である。
【００８８】
また、第一選択画面は、配置選択画面以外の選択画面であってもよい。第二選択画面は、リフォーム対象範囲選択画面以外の選択画面であってもよい。第二選択画面は、第一選択画面が表示された後に表示され、第一選択画面を通じた第一選択の結果に依存して選択肢の数が変わる選択画面であればよい。
【００８９】
また、上記実施の形態で説明された、選択肢の数、及び、選択肢の内容については一例である。選択肢の数、及び、選択肢の内容については特に限定されず、適宜定められればよい。
【００９０】
［効果等］
以上説明したように、住宅リフォーム見積もりシステム１０は、顧客が住宅リフォームの見積もりに関する選択を行うための第一選択画面を表示する表示部３４と、第一選択画面の表示中に顧客の第一選択を受け付ける受付部３１とを備える。表示部３４は、第一選択が受け付けられた後に第二選択画面を表示する。第二選択画面には、複数の選択肢のうち、第一選択の結果に応じて定められる一部の選択肢のみが含まれる。
【００９１】
これにより、不適切な選択肢が第二選択画面からが除外されれば、実際には必要な工事費などが含まれていないなどの不適切な簡易見積もり金額が提示されてしまうことが抑制される。
【００９２】
また、第一選択画面は、顧客が、顧客の住宅内の設備の配置に関する選択を行うための選択画面であり、第二選択画面は、顧客が、設備が配置される空間におけるリフォーム対象範囲の選択を行うための選択画面であってもよい。
【００９３】
これにより、不適切なリフォーム対象範囲が第二選択画面の選択肢から除外されれば、不適切な簡易見積もり金額が提示されてしまうことが抑制される。
【００９４】
また、第一選択画面は、顧客が設備の配置を住宅リフォームによって変更するか否かの選択を行うための選択画面であってもよい。第一選択が、設備の配置を変更することを示す場合に、第二選択画面には、複数の選択肢のうち、一部の選択肢のみが含まれてもよい。
【００９５】
これにより、設備の配置を変更する場合に不適切なリフォーム対象範囲が第二選択画面の選択肢から除外されれば、不適切な簡易見積もり金額が提示されてしまうことが抑制される。
【００９６】
また、第一選択画面は、顧客が空間の間取りを住宅リフォームによって変更するか否かの選択を行うための選択画面でもあってもよい。第一選択が、設備の配置を変更しないことを示す場合であって、かつ、空間の間取りを変更しないことを示す場合、第二選択画面には、複数の選択肢の全てが含まれてもよい。第一選択が、設備の配置を変更しないことを示す場合であって、かつ、空間の間取りを変更することを示す場合、第二選択画面には、複数の選択肢のうち、一部の選択肢のみが含まれてもよい。
【００９７】
これにより、設備の配置を変更しない場合であって、かつ、空間の間取りが変更される場合に不適切なリフォーム対象範囲が第二選択画面の選択肢から除外されれば、不適切な簡易見積もり金額が提示されてしまうことが抑制される。
【００９８】
また、複数の選択肢には、空間の床、壁、及び、天井のいずれもリフォーム対象範囲としない第一選択肢、並びに、空間の床、壁、及び、天井のうち少なくとも１つをリフォーム対象範囲とする第二選択肢が含まれてもよい。一部の選択肢には、第一選択肢及び第二選択肢のうち第二選択肢のみが含まれてもよい。
【００９９】
これにより、空間の床、壁、及び、天井のうち少なくとも１つをリフォーム対象範囲とする場合に、空間の床、壁、及び、天井のいずれもリフォーム対象範囲としない第一選択肢が第二選択画面の選択肢から除外されれば、不適切な簡易見積もり金額が提示されてしまうことが抑制される。
【０１００】
また、第二選択肢には、空間の床、壁、及び、天井を全面的にリフォーム対象範囲とする選択肢、並びに、空間の床、壁、及び、天井のうち設備の周辺のみをリフォーム対象範囲とする選択肢が含まれてもよい。
【０１０１】
これにより、ユーザは、リフォーム対象範囲を段階的に選択することができる。
【０１０２】
また、空間は、少なくともダイニング及びキッチンを含む居住空間であり、設備は、システムキッチンであってもよい。
【０１０３】
これにより、キッチンのリフォームの見積もりに関連する第二選択画面において、不適切な画面リフォーム対象範囲が選択肢から除外されれば、不適切な簡易見積もり金額が提示されてしまうことが抑制される。
【０１０４】
また、住宅リフォーム見積もりシステム１０において、コンピュータ等によって実行される住宅リフォーム見積もり方法は、顧客が住宅リフォームの見積もりに関する選択を行うための第一選択画面を表示し、第一選択画面の表示中に顧客の第一選択を受け付け、第一選択が受け付けられた後に第二選択画面を表示する。第二選択画面には、複数の選択肢のうち、第一選択の結果に応じて定められる一部の選択肢のみが含まれる。
【０１０５】
これにより、不適切な選択肢が第二選択画面からが除外されれば、不適切な簡易見積もり金額が提示されてしまうことが抑制される。
【０１０６】
（その他の実施の形態）
以上、実施の形態に係る住宅リフォーム見積もりシステムについて説明したが、本発明は、上記実施の形態に限定されるものではない。
【０１０７】
また、上記実施の形態で説明された各表示画面（選択画面）は、一例である。例えば、アイコンに代えて文字が表示された領域が操作対象として用いられてもよい。また、ポップアップ形式で表示される画像が、表示部の表示領域の全体に表示画面として表示されてもよい。
【０１０８】
また、上記実施の形態では、画面遷移などの各処理がユーザのタップ操作に基づいて行われたが、長押し操作及びスワイプ操作などのタップ操作以外の操作に基づいて各処理が行われてもよい。
【０１０９】
また、上記実施の形態で説明したサーバ装置と情報端末との間の通信方法については特に限定されるものではない。サーバ装置と情報端末との間では、例えば、第４世代移動通信システムまたは第３世代移動通信システムを利用した無線通信が行われるが、光回線を利用した有線通信と、Ｗｉ−Ｆｉ（登録商標）などの無線通信とが組み合わされてもよい。無線通信の方式（通信規格）、及び、有線通信の方式（通信規格）は特に限定されない。
【０１１０】
また、上記実施の形態において、特定の処理部が実行する処理を別の処理部が実行してもよい。また、複数の処理の順序が変更されてもよいし、複数の処理が並行して実行されてもよい。
【０１１１】
また、上記実施の形態では、住宅リフォーム見積もりシステムは、クライアントサーバシステムとして実現されているが、住宅リフォーム見積もりシステムは、単一の装置として実現されてもよい。また、住宅リフォーム見積もりシステムが備える構成要素の複数の装置への振り分けは、一例である。例えば、一の装置が備える構成要素を他の装置が備えてもよい。また、住宅リフォーム見積もりシステムは、３つ以上の装置を備えてもよい。例えば、住宅リフォーム見積もりシステムは、２つ以上のサーバ装置を備えてもよい。
【０１１２】
また、上記実施の形態において、制御部などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１３】
また、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、コンピュータ等によって実行される住宅リフォーム見積もり方法として実現されてもよいし、住宅リフォーム提案方法をコンピュータに実行させるためのプログラム）として実現されてもよい。また、例えば、住宅リフォーム見積もりシステムがウェブブラウザの実行ではなく専用のアプリケーションプログラムの実行により実現される場合、本発明は、当該専用のアプリケーションプログラムとして実現されてもよい。
【０１１５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１６】
１０  住宅リフォーム見積もりシステム
３１  受付部
３４  表示部
３４ａ  第一選択肢
３４ｂ、３４ｃ  第二選択肢
【図１】
2019016217.tif 000003
【図２】
2019016217.tif 000004
【図３】
2019016217.tif 000005
【図４】
2019016217.tif 000006
【図５】
2019016217.tif 000007
【図６】
2019016217.tif 000008
【図７】
2019016217.tif 000009
【図８】
2019016217.tif 000010
【図９Ａ】
2019016217.tif 000011
【図９Ｂ】
2019016217.tif 000012
【図９Ｃ】
2019016217.tif 000013
【図１０】
2019016217.tif 000014
【図１１】
2019016217.tif 000015
【図１２】
2019016217.tif 000016
【図１３】
2019016217.tif 000017
【図１４】
2019016217.tif 000018
【図１５Ａ】
2019016217.tif 000019
【図１５Ｂ】
2019016217.tif 000020
【図１６】
2019016217.tif 000021
【図１７】
2019016217.tif 000022